(57)【要約】【課題】  印刷物の内容が一部改竄されても判定を可能とし、これを検出することで複製されたときのオリジナル印刷物との照合を行う。【解決手段】  電子透かし埋め込み設定調整部３４は、テキストデータを改竄されたくない文字サイズに設定し、電子透かし埋め込み部３５が、前記設定された内容に基づき、印刷されるテキストデータに電子透かし情報を埋込む。このとき、電子透かし情報生成部３２は、後の電子透かし情報検出のために、電子透かし埋め込みに用いた電子透かし情報とその属性情報を電子透かし埋め込み情報ＤＢ３３に登録する。【選択図】      図３
2005269040.tif 000002
【特許請求の範囲】
【請求項１】
テキストデータに電子透かし情報を埋め込んで電子透かし埋め込み済み画像を生成し、印刷を行う印刷物対応電子透かし埋め込み装置であって、
前記埋め込む電子透かし情報を所定の規則に従い生成する電子透かし情報生成部と、
前記テキストデータを改竄されたくない文字サイズで前記生成される電子透かし情報の埋め込み設定を行う電子透かし埋め込み設定調整部と、
前記電子透かし埋め込み設定調整部により設定された内容に基づき、前記印刷されるテキストデータに電子透かし情報を埋込んで電子透かし埋め込み済み画像を生成する電子透かし埋め込み部と、
を備えたことを特徴とする印刷物対応電子透かし埋め込み装置。
【請求項２】
前記電子透かし埋め込み済み画像を基に印刷を行い、印刷物を生成する電子透かし埋め込み済み画像印刷部と、
を備えたことを特徴とする請求項１に記載の印刷物対応電子透かし埋め込み装置。
【請求項３】
前記電子透かし情報生成部は、
前記電子透かし情報を、その隣接区間においてビット単位で類似しないように生成することを特徴とする請求項１に記載の印刷物対応電子透かし埋め込み装置。
【請求項４】
前記電子透かし埋め込み時に保存される電子透かし情報、および前記電子透かし埋め込み設定調整部により設定される電子透かし埋め込み設定情報に基づき、前記電子透かし埋め込み済み画像から電子透かし情報を検出する電子透かし検出部と、
を備えたことを特徴とする請求項１から３のいずれか１項に記載の印刷物対応電子透かし埋め込み装置。
【請求項５】
テキストデータに電子透かし情報を埋め込んで電子透かし埋め込み済み画像を生成し、印刷を行う印刷物対応電子透かし埋め込み方法であって、
前記埋め込む電子透かし情報を規則に従い生成するステップと、
前記テキストデータの文節の区切りを単位とするサイズで前記生成される電子電子透かし情報の埋め込み設定を行うステップと、
前記設定された内容に基づき、前記印刷されるテキストデータに電子透かし情報を埋込んで電子透かし埋め込み済み画像を生成するステップと、
を有することを特徴とする印刷物対応電子透かし埋め込み方法。
【請求項６】
テキストデータに電子透かし情報を埋め込んで電子透かし埋め込み済み画像を生成し、印刷を行う印刷物対応電子透かし埋め込み装置に用いられるプログラムであって、
前記埋め込む電子透かし情報を規則に従い生成する処理と、
前記テキストデータの文節の区切りを単位とするサイズで前記生成される電子電子透かし情報の埋め込み設定を行う処理と、
前記設定された内容に基づき、前記印刷されるテキストデータに電子透かし情報を埋込んで電子透かし埋め込み済み画像を生成する処理と、
をコンピュータに実行させるプログラム。
【発明の詳細な説明】
【技術分野】
【０００１】
本発明は、テキストデータに対し電子透かし情報を埋め込んで電子透かし埋め込み済み画像を生成し、印刷を行う、印刷物対応電子透かし埋め込み装置およびその方法ならびにプログラムに関する。
【背景技術】
【０００２】
画像や音声などのデジタルコンテンツに他の情報を隠し持たせることができる「電子透かし」技術が存在する。図１２にその概要が示されている。
「電子透かし」とは、画像データや音声データなどのデジタルコンテンツに他の情報を埋め込み、不可視もしくは不可聴の状態で隠し持たせる技術である。特徴としては、コンテンツの中に別の情報（電子透かし情報）を埋め込むことができ、電子透かし情報はコンテンツを加工（圧縮・切り抜き・拡大・縮小）しても消すことができないことにある。また、コンテンツの品質を保ったまま第三者が電子透かし情報を除去することは困難であり、電子透かし情報の入ったコンテンツを不正にＷｅｂ（World Wide Web）上で公開するとパトロールシステムによって検知、警告される。
【０００３】
一方、上記した「電子透かし」技術を印刷物に応用した印刷物対応電子透かし技術が存在する。図１３に、電子透かし入り印刷物製作方法とその検出方法が示されている。
すなわち、デジタル製版工程で処理される画像情報を印刷物になったときに肉眼では認識できない形で変更し、電子透かし用の識別情報を埋め込む。絵柄や色など印刷物の仕上がりにはほとんど影響がなく、人間の肉眼ではその違いが認識できない。この印刷物に関しスキャナーなどを用いて再びデジタル化し専用のソフトウェアに入力すると、埋め込まれた電子透かし情報を検出することが可能となる（例えば、特許文献１参照）。
【特許文献１】特開２００２−６４７００号
【発明の開示】
【発明が解決しようとする課題】
【０００４】
上記したように、デジタル製版工程で得られる画像に対し肉眼では認識しずらい形で電子透かし情報が埋め込まれる。絵柄や色など印刷物の仕上がりにはほとんど影響がなく、人間の肉眼ではその違いが認識できない。しかしながら、この印刷物に関し、スキャナーなどを用いて再びデジタル化し専用のソフトウェアに入力すると、埋め込まれた電子透かし情報を検出することが可能となる。
これに対し、従来の印刷物対応電子透かし埋め込み技術によれば、電子透かし情報の埋め込みサイズが大きく、このため、印刷されたテキストデータのうち一部が改竄されても埋め込んだデータから電子透かし情報が検出できてしまうため、改竄されたことの判定ができない。例えば、図１４に示されるように、「であると思われる」が、「ではないと思われる」に改竄された場合の検出ができない。
【０００５】
本発明は上記事情に鑑みてなされたものであり、電子透かし情報を埋め込む際の埋め込みサイズを、文節の区切り程度のサイズ等、改竄されたくない文字サイズで埋め込むことにより印刷物の内容が一部改竄されても判定が可能であり、また、これを検出することで複製されたときのオリジナル印刷物との照合を行うことのできる、印刷物対応電子透かし埋め込み装置およびその方法ならびにプログラムを提供することを目的とする。
【課題を解決するための手段】
【０００６】
上記した課題を解決するために本発明は、テキストデータに電子透かし情報を埋め込んで電子透かし埋め込み済み画像を生成し、印刷を行う印刷物対応電子透かし埋め込み装置であって、前記埋め込む電子透かし情報を規則に従い生成する電子透かし情報生成部と、前記テキストデータを改竄されたくない文字サイズで前記生成される電子透かし情報の埋め込み設定を行う電子透かし埋め込み設定調整部と、前記電子透かし埋め込み設定調整部により設定された内容に基づき、前記印刷されるテキストデータに電子透かし情報を埋込んで電子透かし埋め込み済み画像を生成する電子透かし埋め込み部と、を備えたことを特徴とする。
【０００７】
また、本発明において、前記電子透かし埋め込み済み画像を基に印刷を行い、印刷物を生成する電子透かし埋め込み済み画像印刷部と、を備えたことを特徴とする。
【０００８】
また、本発明において、前記電子透かし情報生成部は、前記電子透かし情報をその隣接区間においてビット単位で類似しないように生成することを特徴とする。
【０００９】
また、本発明において、前記電子透かし埋め込み時に保存される電子透かし情報、および前記電子透かし埋め込み設定調整部により設定される電子透かし埋め込み設定情報に基づき、前記電子透かし埋め込み済み画像から電子透かし情報を検出する電子透かし検出部と、を備えたことを特徴とする。
【００１０】
また、本発明は、テキストデータに電子透かし情報を埋め込んで電子透かし埋め込み済み画像を生成し、印刷を行う印刷物対応電子透かし埋め込み方法であって、前記埋め込む電子透かし情報を規則に従い生成するステップと、前記テキストデータの文節の区切りを単位とするサイズで前記生成される電子電子透かし情報の埋め込み設定を行うステップと、前記設定された内容に基づき、前記印刷されるテキストデータに電子透かし情報を埋込んで電子透かし埋め込み済み画像を生成するステップと、を有することを特徴とする。
【００１１】
また、本発明は、テキストデータに電子透かし情報を埋め込んで電子透かし埋め込み済み画像を生成し、印刷を行う印刷物対応電子透かし埋め込み装置に用いられるプログラムであって、前記埋め込む電子透かし情報を規則に従い生成する処理と、前記テキストデータの文節の区切りを単位とするサイズで前記生成される電子電子透かし情報の埋め込み設定を行う処理と、前記設定された内容に基づき、前記印刷されるテキストデータに電子透かし情報を埋込んで電子透かし埋め込み済み画像を生成する処理と、をコンピュータに実行させることを特徴とする。
【発明の効果】
【００１２】
本発明によれば、電子透かし埋め込み設定調整部は、テキストデータを改竄されたくない文字サイズに設定し、電子透かし埋め込み部３５が前記設定された内容に基づき印刷されるテキストデータに電子透かし情報を埋込むことにより、印刷物の内容が一部改竄されてもその判定が可能となる。このとき、電子透かし情報生成部は、後の電子透かし情報検出のために、電子透かし埋め込みに用いた電子透かし情報と電子透かし埋め込み設定情報等の属性情報を電子透かし埋め込み情報ＤＢに登録しておく。このため、電子透かし埋め込み時に保存される電子透かし情報、および電子透かし埋め込み設定情報に基づき、電子透かし埋め込み済み画像から電子透かし情報を検出することができ、オリジナルの印刷物がいつ、どの印刷機によって印刷されたものか等の判定が可能となり、また、複製しても電子透かしが残るような設定を行うことで、オリジナルの印刷物を複製した場合にもオリジナル印刷物との照合が可能になる。
【発明を実施するための最良の形態】
【００１３】
図１は、本発明の電子透かし埋め込み方法を説明するために引用した図である。概略流れを説明すれば以下のようになる。
まず、埋め込む電子透かし情報の値を規則に従って生成する（Ｓ１１）。そして、改竄されたくない文字サイズ、例えば、テキストデータにおける文節の区切り程度のサイズで生成された電子透かし情報を埋め込む（Ｓ１３）。なお、このとき、埋め込んだ電子透かし情報と、その位置情報を含む電子透かし埋め込み設定情報等の属性情報とを電子透かし埋め込み情報データベース（ＤＢ）に登録しておく（Ｓ１２）。
【００１４】
次に、電子透かし情報の生成の一例について図２を参照しながら説明する。ここでは、隣接する区間の電子透かし情報が類似すると誤認識する可能性があるため、ビット単位で類似しないように電子透かし情報を生成するようにしている。
このために、まず、ある電子透かし情報埋め込みブロックにおける左上の基準位置の電子透かし情報をランダムに生成する（Ｓ２１）。次に、左、または上の区間の電子透かし情報、ここでは「１」を２進表記する（Ｓ２２）。そして、ランダムで変更箇所を選択してビットを反転させる（Ｓ２３）。続いてそれを１０進表記して電子透かし情報「１３」を作成する（Ｓ２４）。このことにより、「１」の隣接区間に、非類似の「１３」が生成されたことになる。
【００１５】
図３に、本発明の印刷物対応電子透かし埋め込み装置の内部構成が、図４にその電子透かし情報生成の流れがフローチャートで示されている。
図３において、本発明の電子透かし埋め込み装置は、テキストデータ記憶部３１と、電子透かし情報生成部３２と、電子透かし埋め込み情報ＤＢ３３と、電子透かし埋め込み設定調整部３４と、電子透かし埋め込み部３５と、印刷物情報入力部３６と、印刷物情報記憶部３７と、出力画像記憶部３８で構成される。
【００１６】
テキストデータ記憶部３１には、電子透かし情報の埋め込み対象となる印刷テキストデータが格納される。電子透かし情報生成部３２は、規則に従って電子透かし情報を生成して電子透かし埋め込み設定調整部３４へ供給する。電子透かし埋め込み部３５は、電子透かし埋め込み設定調整部３４により設定された内容に基づき、テキストデータに電子透かしを埋込んで電子透かし埋め込み済み画像を生成し、出力画像記憶部３８に格納する。出力画像記憶部３８に格納された電子透かし埋め込み済み画像は、図示せぬ電子透かし埋め込み済み画像印刷部を介して印刷される。
なお、電子透かし情報生成部３２による電子透かし情報の生成の仕方については図４に示すフローチャートを用いて後述する。
【００１７】
電子透かし埋め込み設定調整部４４は、電子透かし埋め込み部３５による電子透かし情報の埋め込みの際、電子透かし情報生成部３２によって生成される電子透かし情報を、改竄されたくない文字サイズ、例えば、テキストデータにおける文節の区切り程度のサイズで生成された電子透かし情報を埋め込むように制御する。また、印刷物情報記憶部３７には、印刷物情報入力部３６により入力される印刷物ＩＤや印刷物名が格納され、電子透かし情報ＤＢ３３は、このＩＤ毎に上記した電子透かし情報等が格納される。
なお、電子透かし埋め込み情報ＤＢ３３には、電子透かし情報生成部３２により生成される電子透かし情報、ならびに電子透かし埋め込み設定調整部３４により設定される、埋め込む文字サイズ等のデータが格納される。図１１にそのデータ構造の一例が示されている。
【００１８】
電子透かし埋め込み情報ＤＢ３３は、印刷物毎にＩＤが付され、そのＩＤ毎に電子透かし時用法ならびにその属性情報が登録される。属性情報としては、透かし埋め込みサイズ、透かし埋め込み量、埋め込み位置等が考えられる。これらの属性情報は、電子透かし埋め込み設定調整部３４が設定する。
【００１９】
図４に示すフローチャートにおいて、まず、電子透かし情報生成部３２は、電子透かし情報をランダムに生成する（Ｓ４１）。続いて、隣接区間の左上から右下に向かって電子透かし情報を取得して埋め込むべき値を決定する（Ｓ４２）。
そして、その値を２進表記する（Ｓ４３）。続いて、ランダムに変更箇所を選択してビットを反転させて次に埋め込むべき値を決定する（Ｓ４４）。ここで、該当区間と隣接区間（左およびその上の区間）の電子透かし情報のビット比較を行い（Ｓ４５）、同じ値であればＳ４４の処理を繰り返し、異なっていた場合に限りその電子透かし情報を埋め込む（Ｓ４６）。以上の処理を画像内に存在する全ての区間について実行し、未判定区間があった場合にその区間を該当区間としてＳ４２以降の処理を繰り返し、未判定区間がないことを確認して処理を終了する（Ｓ４７）。
【００２０】
図２、図４に示す電子透かし情報の生成の仕方は、電子透かし情報生成部３２が、区画の左上から右下に向かって隣接区間で異なる情報を生成するものである。次に、予め生成する情報を準備し、ランダムに埋め込み箇所を選択して隣接区間と異なる情報を選択する、電子透かし情報生成部３２の他の実施形態について説明する。
ここでは、生成情報を００００１〜１１１１１とし、区画を更に１〜２０に区分し、それぞれの番号は区分番号として説明する。図６〜図８に、それぞれ区分１、２、２０毎の処理が詳細に示されている。
【００２１】
すなわち、区分番号１〜２０で示す各区分は、初期状態で生成情報を持たないものとし、以下の手順に従い処理を行う。
まず、区分１〜２０から任意に１区分を選択して対象区分とする。続いて生成情報から任意に１つを選択し、対象区分の情報として上記により選択した区分を対象区分から除外する。次に、生成情報が割り振られていない区分から任意に１区分を選択し、これを対象区分とする。そして、対象区分に隣接する区分に割り振られている生成情報以外から任意に１つを選択する。このとき、情報が割当てられていない区分は比較対象外とする。ここで選択した情報を対象区分の情報とする。また、上記により選択した区分を対象区分から除外する。以上の処理を繰り返し、全ての区分に対して生成情報が割り振られたときに処理を終了する。
なお、ここで表現される区分は、図２、図４に示す画素と同義語とする。
【００２２】
このことにより、電子透かし埋め込み設定調整部３４がテキストデータを改竄されたくない文字サイズに設定し、電子透かし埋め込み部３５が、電子透かし埋め込み設定調整部３４により設定された内容に基づき、印刷されるテキストデータに電子透かし情報を埋込むことで、印刷物の内容が一部改竄されてもその判定が可能となる。
【００２３】
図９は、真贋判定を行う本発明の電子透かし埋め込み装置の構成を示すブロック図である。ここでは、電子透かし埋め込みを行うブロックは省略し、真贋判定に関係するブロックのみ抽出して示してある。
本発明の電子透かし埋め込み装置は、印刷物入力部９１と、画像データ記憶部９２と、印刷物情報入力部９３と、印刷物情報記憶部９４と、電子透かし情報検出部９５と、真贋判定結果出力部９６と、真贋判定結果保存部９７で構成される。なお、３３は、電子透かし情報埋め込みの際、その電子透かし情報とその属性情報が格納された電子透かし埋め込み情報ＤＢである。
【００２４】
印刷物入力部９１は、検出対象となる印刷物の入力を行い、画像データ記憶部９２に保存されている入力画像の選択を行う。そして、電子透かし情報検出部９５へ供給する。また、印刷物情報入力部９３は、印刷物情報記憶部９４に格納されている印刷物情報を読み込んで電子透かし検出部９５へ供給する。
電子透かし検出部９５は、電子透かし情報埋め込み情報ＤＢ３３に登録された画像データに含まれる電子透かし情報、およびその属性情報から埋め込み設定に従う電子透かし情報を検出して真贋判定結果出力部９６に真贋判定を委ねる。真贋判定結果出力部９６は、電子透かし検出部９５による検出結果と印刷物情報との照合を行い、真贋判定結果保存部９７に照合結果を保存する。
【００２５】
図１０に、印刷物の改竄を検出する電子透かしの検出手順が概念的に示されている。
印刷物の真贋判定を行う際には、画像データ記憶部９２に格納される印刷物から検出された電子透かし情報と、電子透かし埋め込み情報ＤＢ３３に登録された電子透かし情報とを照合する必要がある。このため、事前に、印刷物、電子透かし埋め込み情報ＤＢ３３の双方から電子透かし情報を検出し（Ｓ１０１、Ｓ１０２）、それをもって照合する必要がある（Ｓ１０３）。これは、電子透かし情報検出部９５、ならびに真贋判定結果出力部９６によって実行される。
照合の結果、一致した場合は正規品と判定される（Ｓ１０４）。一方、印刷された文章の一部が改竄されると、その個所の電子透かし情報も変更されることになるため、印刷物から電子透かし情報を検出して得られた値と、電子透かし埋め込み情報ＤＢ３３に登録された値とが一致しない場合には、真贋判定結果出力部９６が、電子透かし情報検出部９５からの埋め込み設定に従った電子透かし情報の検出をもってその個所が改竄されたと判定する（Ｓ１０５）。
【００２６】
このことにより、電子透かし埋め込み時に保存される電子透かし情報、および電子透かし埋め込み設定情報に基づき、電子透かし埋め込み済み画像から電子透かし情報を検出することで、オリジナルの印刷物がいつ、どの印刷機によって印刷されたものか等の判定が可能となり、また、複製しても電子透かしが残るような設定を行うことで、オリジナルの印刷物を複製した場合にもオリジナル印刷物との照合が可能になる。
【００２７】
ここで、電子透かし情報の埋め込み手順と、電子透かし情報の検出手順について補足説明を行う。
図５に、本発明の印刷物対応電子透かし埋め込み装置による電子透かし情報埋め込みの詳細手順が示されている。
図５において、３５４は原画像データである。この原画像データ３５４をフーリエ変換（３５５）することにより、ブロック分割（３５６）、色空間変換（３５５７）を経て振幅データ３５８および位相情報３５９を得ることができる。３５１は、原画像データ３５４に埋め込む電子透かし情報である。この電子透かし情報３５１をスペクトラム拡散（３６３）することによって拡散された電子透かし情報が得られる。次に、拡散された電子透かし情報を振幅データ３５８に合成する（３６５）。さらに、位相情報３５９を用いて逆フーリエ変換（３６４）を実行し、このことにより電子透かし情報を合成した画像データが得られる。
【００２８】
一方、電子透かし情報の合成によるノイズを画像の局所的な特徴に合わせることでノイズを低減させるために、原画像データ３５４をウェーブレット変換し（３６０）、原画像データ３５４はサブバンド画像に分解され、互いに直交する部分画像で表わされる。そして、この部分画像を基に原画像３５４と同じ大きさのエネルギーマップデータを得る（３６１：高周波エネルギー算出）。
次に、先に逆フーリエ変換（３６４）の処理によって得られた電子透かし情報を合成した画像と原画像データ３５４との差分を求める（３６７）。更に、上記したエネルギーマップデータ重みマスク作成（３６２）の処理を行い、再度、電子透かし情報を原画像データ３５４に合成する（３６８、３６９）。このようにして、電子透かし埋め込み済み画像データが得られ、出力画像記憶部３８に格納される。
【００２９】
なお、上記のように埋込まれた電子透かし情報を検出する場合は以下の手順に従う。つまり、電子透かし検出対象となる電子透かし埋め込み済み画像データは、例えば、印刷物をスキャナーなどでスキャンすることによって得られたデジタルデータである。電子透かし埋め込み済み画像データを離散フーリエ変換（図示せず）することにより、同画像データの振幅データが得られる。一方、擬似乱数系列を基に、シンボル値検出用系列が得られる。次に、上記した振幅データとシンボル値検出用系列とを基に、シンボルレスポンス値を算出する処理を行い、シンボル値検出を行う。このように得られたシンボル値に対して、基数変換を行い、検出された電子透かし情報を得る。
【００３０】
以上説明のように本発明は、電子透かし情報を埋め込む際の埋め込みサイズを、文節の区切り程度のサイズ等、改竄されたくない文字サイズに設定して埋め込むことにより印刷物の内容が一部改竄されても判定を可能とするものである。また、これを検出することで複製されたときのオリジナル印刷物との照合を行うことができる。
なお、図３、図９に示す、テキストデータ記憶部３１、電子透かし情報生成部３２、電子透かし埋め込み情報ＤＢ３３、電子透かし埋め込み設定調整部３４、電子透かし埋め込み部３５、印刷物情報入力部３６、印刷物情報記憶部３７、出力画像記憶部３８、印刷物入力部９１、画像データ記憶部９２、印刷物情報入力部９３、印刷物情報記憶部９４、電子透かし情報検出部９５、真贋判定結果出力部９６、真贋判定結果保存部９７のそれぞれで実行される手順をコンピュータ読み取り可能な記録媒体に記録し、この記録媒体に記録されたプログラムをコンピュータシステムに読み込ませ、実行することによっても本発明を実現することができる。ここでいうコンピュータシステムとは、ＯＳや周辺機器等のハードウェアを含む。
【００３１】
また、「コンピュータシステム」は、ＷＷＷシステムを利用している場合であれば、ホームページ提供環境（あるいは表示環境）も含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００３２】
以上、この発明の実施形態につき、図面を参照して詳述してきたが、具体的な構成はこの実施形態に限られるものではなく、この発明の要旨を逸脱しない範囲の設計等も含まれる。
【図面の簡単な説明】
【００３３】
【図１】本発明の印刷物対応電子透かし埋め込み方法を説明するために引用した図である。
【図２】本発明実施形態にかかわる電子透かし情報生成の仕方の一例を示す図である。
【図３】本発明実施形態にかかわる印刷物対応電子透かし埋め込み装置の内部構成の一例を示す図である。
【図４】本発明実施形態にかかわる電子透かし情報生成の流れを示すフローチャートである。
【図５】本発明実施形態にかかわる電子透かし情報埋め込みの手順を説明するために引用した図である。
【図６】本発明実施形態にかかわる電子し透かし情報生成の仕方について他の例を示す図である。
【図７】本発明実施形態にかかわる電子し透かし情報生成の仕方について他の例を示す図である。
【図８】本発明実施形態にかかわる電子し透かし情報生成の仕方について他の例を示す図である。
【図９】本発明実施形態にかかわる真贋判定を行う電子透かし埋め込み装置の構成例を示すブロック図である。
【図１０】図９に示す電子透かし埋め込み装置の動作を説明するために引用した動作概念図である。
【図１１】本発明実施形態にかかわる電子透かし埋め込み情報ＤＢのデータ構造の一例を示す図である。
【図１２】「電子透かし技術」について説明するために引用した図である。
【図１３】電子透かし埋め込み装置を説明するために引用した図である。
【図１４】従来の印刷物対応電子透かし埋め込み装置を説明するために引用した図である。
【符号の説明】
【００３４】
３１…テキストデータ記憶部、３２…電子透かし情報生成部、３３…電子透かし埋め込み情報ＤＢ、３４…電子透かし埋め込み設定調整部、３５…電子透かし埋め込み部、３６…印刷物情報入力部、３７…印刷物情報記憶部、３８…出力画像記憶部、９１…印刷物入力部、９２…画像データ記憶部、９３…印刷物情報入力部、９４…印刷物情報記憶部、９５…電子透かし情報検出部、９６…真贋判定結果出力部、９７…真贋判定結果保存部
【図１】
2005269040.tif 000003
【図２】
2005269040.tif 000004
【図３】
2005269040.tif 000005
【図４】
2005269040.tif 000006
【図５】
2005269040.tif 000007
【図６】
2005269040.tif 000008
【図７】
2005269040.tif 000009
【図８】
2005269040.tif 000010
【図９】
2005269040.tif 000011
【図１０】
2005269040.tif 000012
【図１１】
2005269040.tif 000013
【図１２】
2005269040.tif 000014
【図１３】
2005269040.tif 000015
【図１４】
2005269040.tif 000016